(57)【要約】【課題】  計測用の信号と洗浄用の信号を切り換えるためのゲート回路を必要とし、回路が複雑になるという問題があった。【解決手段】  制御装置１２の出力端子に第1の増幅器１３の入力端子が接続され、この第１の増幅器１３の出力端子に洗浄用振動子１４が接続され、制御装置１２の出力端子に第２の増幅器１５の入力端子が接続され、第２の増幅器１５の出力端子に計測用振動子１６が接続され、計測用振動子１６に第３の増幅器１７の入力端子が接続され、又、第３の増幅器１７の出力端子は制御装置１２が接続されており、センサケース１８の内底部にリング状の計測用振動子１６が装着され、リング状の計測用振動子１６の中心の孔に洗浄用振動子１４が装着されている。【選択図】図１
2010085306.tif 000002
【特許請求の範囲】
【請求項１】
沈殿槽に装着されるセンサケースと、該センサケース内に装着した計測用振動子及び洗浄用振動子と、該洗浄用振動子が接続される第１の増幅器と、前記計測用振動子が接続される第２の増幅器及び第３の増幅器と、前記第１の増幅器に洗浄用信号を出力し、第２の増幅器に計測用信号を出力し、第３の増幅器で計測用振動子からの信号を増幅して入力する制御装置と、前記第１の増幅器によって出力された洗浄用信号を前記洗浄用振動子に入力して自動洗浄することを特徴とする界面レベル計の汚れ防止装置。
【請求項２】
前記センサケースに装着される洗浄用振動子はリング状に形成された計測用振動子の中心孔に装着されることを特徴とする請求項１記載の界面レベル計の汚れ防止装置。
【請求項３】
前記センサケースに装着される洗浄用振動子と計測用振動子は円盤状に形成され、重ねて前記センサケース内に装着されることを特徴とする請求項１記載の界面レベル計の汚れ防止装置。
【発明の詳細な説明】
【技術分野】
【０００１】
本発明は、沈殿層などの沈殿物の深さを検出する界面レベル計の汚れを防止する界面レベル計の汚れ防止装置に関するものである。
【背景技術】
【０００２】
沈殿層１の液体２の沈殿物３の層を検出する超音波センサ４に通常の増幅度を有する第１の増幅器６及び第１の増幅器６の増幅度の数倍の増幅度を有する第２の増幅器７の出力端子が接続され、この第１，第２の増幅器６，７の入力側に第１の増幅器６又は第２の増幅器７を選択する第１のゲート８が接続され、さらに、第１のケート８に発振器９が接続され、又、第１，第２の増幅器の６，７の出力側に第２のゲート１０を介して出力端子ａが接続され、さらに、制御装置１１は発振器９の出力、第１のゲート８及び第２のゲート１０の切り換えを制御するように接続されている。
【０００３】
このように構成された従来の界面レベル計の汚れ防止装置では、制御装置１１からの信号で発振器９を動作してパルス信号を出力すると、発振器９からのパルス信号は通常の計測のための増幅度を有する第１の増幅器６で増幅され、増幅されたパルス信号は超音波センサ４に入力され、それと同時に、制御装置１１に内蔵されたタイマがセットされ、超音波波振動子４で発生した超音波は沈殿槽１の沈殿物３で反射され、第２のゲート１０を介して出力端子ａから計測装置へ送信され、制御装置１１のタイマがタイムアップされるまで継続し、タイムアップされると、第１のゲート８を第２の増幅器７に接続し、第２のゲート１０を遮断し、発振器９からのパルス信号は増幅器７で通常の数倍の増幅度で増幅され、この強力なパルス信号は超音波センサ４に入力され、この強力なパルス信号で超音波センサ４が励振され、超音波センサ４の発射面に付着している汚れを超音波励振して除去することができる。
【０００４】
しかしながら、従来の界面レベル計の汚れ防止装置では、１つの超音波センサ４によって計測と洗浄を行っているので、計測用の信号と洗浄用の信号を切り換えるためのゲート回路を必要とし、回路が複雑になるという問題がある。
【特許文献１】特開平９−３１８４２１
【発明の開示】
【発明が解決しようとする課題】
【０００５】
解決しようとする問題点は、計測用の信号と洗浄用の信号を切り換えるためのゲート回路を必要とし、回路が複雑になるという問題があった。
【課題を解決するための手段】
【０００６】
本発明は、沈殿槽に装着されるセンサケースと、該センサケース内に装着した計測用振動子及び洗浄用振動子と、該洗浄用振動子が接続される第１の増幅器と、前記計測用振動子が接続される第２の増幅器及び第３の増幅器と、前記第１の増幅器に洗浄用信号を出力し、第２の増幅器に計測用信号を出力し、第３の増幅器で計測用振動子からの信号を増幅して入力する制御装置と、前記第１の増幅器によって出力された洗浄用信号を前記洗浄用振動子に入力して自動洗浄するものであり、又、前記センサケースに装着される洗浄用振動子はリング状に形成された計測用振動子の中心孔に装着されるものであり、さらに、  前記センサケースに装着される洗浄用振動子と計測用振動子は円盤状に形成され、重ねて前記センサケース内に装着されるものである。
【発明の効果】
【０００７】
本発明の界面レベル計の汚れ防止装置は、洗浄用振動子と計測用振動子を別に構成し、１つのセンサケースに装着することにより、ゲート回路を必要とせず、回路構成が簡単になるという利点がある。
【発明を実施するための最良の形態】
【０００８】
本発明では、計測用振動子及び洗浄用振動子とがセンサケースに装着されて沈殿槽に設置され、第１の増幅器に洗浄用振動子が接続され、第２の増幅器及び第３の増幅器に計測用振動子が接続され、制御装置によって、第１の増幅器に洗浄用信号を出力し、第２の増幅器に計測用信号を出力し、第３の増幅器で計測用振動子からの信号を増幅して制御装置に入力し、第１の増幅器によって出力された洗浄用信号を洗浄用振動子に入力して自動洗浄するものである。
【実施例】
【０００９】
図１は本発明の実施例の界面レベル計の汚れ防止装置のブロック図で、制御装置１２の出力端子に第1の増幅器１３の入力端子が接続され、この第１の増幅器１３の出力端子に洗浄用振動子１４が接続され、又、制御装置１２の出力端子に第２の増幅器１５の入力端子が接続され、第２の増幅器１５の出力端子に計測用振動子１６が接続され、さらに、計測用振動子１６に第３の増幅器１７の入力端子が接続され、又、第３の増幅器１７の出力端子は制御装置１２が接続されており、又、図２及び図３に示すように、センサケース１８の内底部にリング状の計測用振動子１６が装着され、リング状の計測用振動子１６の中心の孔に洗浄用振動子１４が装着されている。
【００１０】
このように構成された本実施例の界面レベル計の汚れ防止装置では、制御装置１２を駆動して、第２の増幅器１５に計測用信号を出力すると、第２の増幅器１５で計測用信号が増幅され、計測用振動子１６に入力されると、計測用振動子１６から照射された超音波が沈殿槽内の液体に照射され、沈殿槽内の沈殿物３で反射され、再び計測用振動子１６に入力されるので、第３の増幅器１７で増幅されて制御装置１２に入力され、計測用振動子１６から沈殿物までの深さが計測される。
【００１１】
ここで、制御装置１に装着されたタイマで予め決められた時間が経過すると、制御装置１２から第１の増幅器１３に洗浄用信号が出力されるので、第１の増幅器１３で洗浄用信号が増幅されて洗浄用振動子１４に入力されることにより、洗浄用振動子１４から強力な超音波が発生し、センサケース１８の外面に付着した汚れを除去することができる。
【００１２】
図４は本発明の他の実施例の界面レベル計の汚れ防止装置に使用されるセンサケースの側面断面図で、１４は洗浄用振動子、１６は計測用振動子、１８はセンサケースで、これらの構成は上記実施例と同じであるが、本実施例では、洗浄用振動子１４と計測用振動子１６はそれぞれ円盤状に構成され、洗浄用振動子１４の上に計測用振動子１６が積層されて、センサケース１８の内底部に装着されている。
【００１３】
このように構成された本実施例の界面レベル計の汚れ防止装置でも前記実施例と同様の効果をえることができる。
【産業上の利用可能性】
【００１４】
なお、上記実施例では、計測用振動子と洗浄用振動子を逆に装着しても同様の効果をえることがことができる。
【図面の簡単な説明】
【００１５】
【図１】本発明の実施例の界面レベル計の汚れ防止装置のブロック図である。
【図２】本発明の実施例の界面レベル計の汚れ防止装置のセンサケースの側面断面図である。
【図３】図２のセンサケースの平面図である。
【図４】本発明の他の実施例の界面レベル計の汚れ防止装置のセンサケースの側面断面図である。
【図５】従来の界面レベル計の汚れ防止装置のブロック図である。
【符号の説明】
【００１６】
１２          制御装置
１３          第１の増幅器
１４          洗浄用振動子
１５          第２の増幅器
１６          計測用振動子
１７          第２の増幅器
１８          センサケース
【図１】
2010085306.tif 000003
【図２】
2010085306.tif 000004
【図３】
2010085306.tif 000005
【図４】
2010085306.tif 000006
【図５】
2010085306.tif 000007